(57)【要約】【課題】本発明は、雲台装置の台座に形成されたボルト挿入孔を、台座取付用のボルトのねじ部が通過する大きさのスリットを介して台座の外部に開放するように形成し、スリットを介してボルトを台座のボルト挿入孔に挿入させることにより、架台への取り付けを容易とした雲台装置を提供する。【解決手段】本発明は、基準となる１本のボルト４０を架台３８のボルトねじ孔４２に所定量ねじ込み、このボルト４０に向けて雲台装置１０の台座１４を移動させ、図２に示したスリット３６を介してボルト４０をボルト挿入孔３４に挿入する。【選択図】　　　　図２
2004124981.tif 000002
【特許請求の範囲】
【請求項１】
雲台装置の台座がボルトによって架台に固定されることにより、該架台に取り付けられる雲台装置において、
前記雲台装置の台座に形成されたボルト挿入孔は、前記ボルトのねじ部が通過する大きさのスリットを介して台座の外部に開放され、該スリットを介して前記ボルトが前記ボルト挿入孔に挿入されることを特徴とする雲台装置。
【請求項２】
前記雲台装置の台座に形成された前記ボルト挿入孔の上部は、前記ボルトの頭部が嵌合する凹部が形成されていることを特徴とする請求項１に記載の雲台装置。
【発明の詳細な説明】
【０００１】
【発明の属する技術分野】
本発明は、ビルディングの屋上や鉄塔の上部など高所に取り付けられる雲台装置に関する。
【０００２】
【従来の技術】
ビルディングの屋上や鉄塔の上部に固定された架台に、リモコン式の雲台装置を取り付ける従来の作業手順は、まず、雲台装置を架台に載置する。次に、雲台装置を架台上でスライド移動させて、雲台装置の台座に形成されたボルト挿入孔と、架台に形成されたボルトねじ孔とを架台の上から又は下から覗きながら、正確に合わせる。次いで、前記ボルト挿入孔からボルトを挿入し、ボルトをボルトねじ孔に所定長ねじ込んで仮止めする。次に、残りのボルトを、他のボルト挿入孔から挿入し、これらのボルトをボルトねじ孔にねじ込むとともに、全てのボルトをボルトねじ孔にねじ込んで本締めする。以上の手順によって雲台装置が架台に取り付けられる。このような雲台装置の取付作業は、機材、部品の落下などの事故がないように細心の注意を払って行われている。
【０００３】
架台に取り付けられた雲台装置は、ケーブルを介して電源部及びリモコン装置に接続され、電源部から電源が供給されるとともに、リモコン装置によって雲台及びテレビカメラが遠隔操作される（例えば、特許文献１参照）。
【０００４】
【特許文献１】
特開平８−１７２５５３号公報（第２頁〜第３頁　図１）
【０００５】
【発明が解決しようとする課題】
しかしながら、前記従来の雲台装置は、前記ボルトによる仮止め作業時において、架台側のボルトねじ孔に雲台装置側のボルト挿入孔を正確に合わす位置決め作業が高所では大変困難なため、雲台装置を支えて動かす作業者、位置決めのための指示を出す作業者、ボルトを挿入する作業者が必要となり、取付作業に手間がかかるという欠点があった。
【０００６】
本発明は、このような事情に鑑みてなされたもので、架台への取り付けが容易な雲台装置を提供することを目的とする。
【０００７】
【課題を解決するための手段】
本発明は、前記目的を達成するために、雲台装置の台座がボルトによって架台に固定されることにより、該架台に取り付けられる雲台装置において、前記雲台装置の台座に形成されたボルト挿入孔は、前記ボルトのねじ部が通過する大きさのスリットを介して台座の外部に開放され、該スリットを介して前記ボルトが前記ボルト挿入孔に挿入されることを特徴としている。
【０００８】
本発明によれば、ボルトを架台のボルトねじ孔に所定量ねじ込み、このボルトに向けて雲台装置の台座を移動させ、スリットを介してボルトをボルト挿入孔に挿入する。これにより、架台に対する位置決めが終了するので、架台側のボルトねじ孔に雲台装置側のボルト挿入孔を正確に合わす位置決め作業が困難な従来の雲台装置と比較して、架台に対する雲台装置の位置決めが容易になる。
【０００９】
この後、前記ボルトを中心にして台座を円弧状にスライドさせ、他のボルトねじ孔に残りのボルト挿入孔を合わせる。この合せ作業は、ねじ込んだボルトを中心に台座を動かして合わせる作業なので容易である。次に、前記ボルトを更にねじ込み、ボルト挿入孔の凹部にボルトの頭部を嵌合させることにより、台座を動かなくして雲台装置を仮止めする。次いで、他のボルト挿入孔に残りのボルトを挿入し、全てのボルトを本締めし、雲台装置を架台に取り付ける。以上の簡単な作業によって、雲台装置が架台に取り付けられる。取付作業に従事する作業者数を比較しても、従来は３人必要であったが、本発明では、基準となるボルトを架台にねじ込む作業、基準となるボルトをスリットを介してボルト挿入孔に挿入するために台座を動かす作業、全てのボルトを本締めする作業を一人の作業者で簡単に実施できる。
【００１０】
【発明の実施の形態】
以下添付図面に従って本発明に係る雲台装置の好ましい実施の形態について詳述する。
【００１１】
図１に示す実施の形態の雲台装置１０は、雲台装置本体１２、台座１４、及びテレビカメラ装置１６等から構成されている。雲台装置本体１２の下部にはパン軸１８が突設され、このパン軸１８が台座１４に固定されることにより、台座１４に雲台装置本体１２が立設される。
【００１２】
雲台装置本体１２には、パン用モータ及びチルト用モータが内蔵されている。パン用モータは、雲台装置本体１２の内周部に固定され、その出力軸に取り付けられたウォームギアが、パン軸１８に固定されたウォームホィールに噛合されている。これにより、パン用モータが駆動されると、ウォームギアがウォームホィールの周りを周回移動するので、ウォームギアと一緒に雲台装置本体１２がパン軸１８を中心に回動する。
【００１３】
チルト用モータの出力軸は、図１上で破線で示すチルト軸２０に連結され、チルト軸２０は、雲台装置本体１２の側方に配置されたＬ字状のカメラ台２２に連結されている。これにより、チルト用モータが駆動されると、チルト軸２０が回動するので、カメラ台２２がチルト軸２０を中心に揺動する。以上のパン用モータ及びチルト用モータの駆動によってカメラ台２２に設置されたテレビカメラ装置１６がパン・チルト動作される。
【００１４】
テレビカメラ装置１６は、不図示のレンズ装置及びカメラ本体が屋外用ハウジング２４に収納されて構成される。屋外用ハウジング２４の前面には円形の観察窓２６が形成され、この観察窓２６にはカバーガラス２８が取り付けられている。なお、図示していないが、屋外用ハウジング２４の前面にはワイパ装置が設けられており、ワイパ装置のブレードによってカバーガラス２８に付着した水滴が拭き取られるようになっている。
【００１５】
台座１４は、パン軸１８を支持する角柱部３０と、この角柱部３０の下部に接合された矩形状のフランジ部３２とから構成される。
【００１６】
フランジ部３２の四隅部には、ボルト挿入孔３４、３４…が形成される。この４つのボルト挿入孔３４、３４…のうち一つのボルト挿入孔３４は、図２の如く縦方向に形成されたスリット３６を介してスランジ部３２の外部に開放されている。４つのボルト挿入孔３４、３４…は、台座１４を図３に示す架台３８に固定するためのボルト４０を挿入するための孔であり、４つのボルト挿入孔３４、３４…から挿入された４本のボルト４０、４０…が、架台３８に形成された４つのボルトねじ孔４２にねじ込まれることにより、雲台装置１０が架台３８に取り付けられる。
【００１７】
ところで、図２に示すスリット３６が形成されたボルト挿入孔３４において、スリット３６の幅Ｂは、図３に示すボルト４０のねじ棒４０Ａの直径以上で、ボルト４０の頭部４０Ｂの直径未満の寸法に形成されている。また、ボルト挿入孔３４の上部は、座ぐり加工されて円形の凹部３５が形成されている。この凹部３５は、ボルト４０の六角形の頭部４０Ｂが嵌合する大きさ、深さに形成されている。
【００１８】
次に、このように構成された雲台装置１０を架台３８へ取り付ける取付手順について説明する。
【００１９】
まず、図３に示すように、基準となる１本のボルト４０を架台３８のボルトねじ孔４２に所定量ねじ込み、このボルト４０に向けて雲台装置１０の台座１４を移動させ、図２に示したスリット３６を介してボルト４０をボルト挿入孔３４に挿入する。
【００２０】
これにより、架台３８に対する雲台装置１０の位置決めが終了する。よって、実施の形態の雲台装置１０は、架台側のボルトねじ孔に雲台装置側のボルト挿入孔を正確に合わす位置決め作業が困難な従来の雲台装置と比較して、架台３８に対する雲台装置１０の位置決めが容易になる。
【００２１】
この後、前記基準のボルト４０を中心に台座１４を円弧状にスライドさせ、他のボルトねじ孔４２に残りのボルト挿入孔３４を合わせる。この孔合せ作業は、ねじ込んだ基準のボルト４０を中心に台座１４を円弧状に動かすだけの作業なので容易である。
【００２２】
次に、基準のボルト４０を図４の如く更にねじ込み、ボルト挿入孔３４の図２に示した凹部３５にボルト４０の頭部４０Ｂを嵌合させることにより、台座１４を架台３８に対して動かなくして雲台装置１０を架台３８に仮止めする。
【００２３】
次いで、他のボルト挿入孔３４に残りのボルト４０を挿入した後、全てのボルト（４本のボルト）４０を本締めし、雲台装置１０を架台３８に強固に取り付ける。
【００２４】
以上の簡単な作業によって、雲台装置１０が架台３８に取り付けられる。取付作業に従事する作業者数を比較すると、従来は３人必要であったが、実施の形態の雲台装置１０では、基準のボルト４０を架台３８のボルトねじ孔４２にねじ込む作業、基準のボルト４０をスリット３６を介してボルト挿入孔３４に挿入するために台座１４を動かす作業、全てのボルト４０を本締めする作業を一人の作業者で簡単に実施できるので、作業者を削減できる。
【００２５】
なお、スリット３６が形成されたボルト挿入孔３４は、１本に限定されることなく複数本形成してもよい。例えば図１の雲台装置１０において、スリット３６が形成されたボルト挿入孔３４を、フランジ３２の同辺部において２本形成すれば、前述した孔合せ作業を無くすことができる。
【００２６】
【発明の効果】
以上説明したように本発明に係る雲台装置によれば、架台にねじ込んだボルトをスリットを介してボルト挿入孔に挿入するだけで、架台に対する雲台装置の位置決めが終了するので、架台への取り付けが容易になる。
【００２７】
また、本発明によれば、ボルト挿入孔の凹部にボルトの頭部を嵌合させて雲台装置を仮止めするので、取付作業が容易になり、取付作業に従事する作業者数を削減できる。
【図面の簡単な説明】
【図１】実施の形態の雲台装置の斜視図
【図２】図１に示した雲台装置の台座の要部拡大斜視図
【図３】架台にねじ込んだボルトに向けて台座を移動させる取付直前の状態を示す図
【図４】雲台装置をボルトで仮止めした要部説明図
【符号の説明】
１０…雲台装置、１２…雲台装置本体、１４…台座、１６…テレビカメラ装置、１８…パン軸、２０…チルト軸、２２…カメラ台、３４…ボルト挿入孔、３５…凹部、３６…スリット、３８…架台、４０…ボルト、４２…ボルトねじ孔
【図１】
2004124981.tif 000003
【図２】
2004124981.tif 000004
【図３】
2004124981.tif 000005
【図４】
2004124981.tif 000006